(57)【要約】【課題】壁に対する表示装置の位置決めを速やかに行える梱包材、梱包箱、テレビジョン装置を提供する。【解決手段】表示装置（テレビジョン装置１で例示）の正面に添えられて梱包箱内に収容される梱包材２０である。表示装置の外観サイズと略同一の大きさに形成されたベース本体２１と、ベース本体に形成され、表示装置を壁に掛けるための壁掛け金具が取り付けられる金具取付部２２とを有する。ベース本体における金具取付部の形成位置が、表示装置における壁掛け金具の設置位置と同じ位置である。【選択図】図３
2019131217.tif 000002
【特許請求の範囲】
【請求項１】
表示装置の正面に添えられて梱包箱内に収容される梱包材であって、
前記表示装置の外観サイズと略同一の大きさに形成されたベース本体と、
該ベース本体に形成され、前記表示装置を壁に掛けるための壁掛け金具が取り付けられる金具取付部とを有し、
前記ベース本体における前記金具取付部の形成位置が、前記表示装置における前記壁掛け金具の設置位置と同じ位置であることを特徴とする梱包材。
【請求項２】
請求項１に記載の梱包材であって、
前記壁掛け金具が、該壁掛け金具を前記壁に設置するために、該壁掛け金具を貫通して形成されたねじ挿入孔を有し、
前記梱包材が、前記ねじ挿入孔に対応した位置で前記ベース本体を貫通して形成されたケガキ孔をさらに有することを特徴とする梱包材。
【請求項３】
請求項１または２に記載の梱包材であって、
前記金具取付部が、前記壁掛け金具を嵌合させる開口であることを特徴とする梱包材。
【請求項４】
請求項１または２に記載の梱包材であって、
前記金具取付部が、前記壁掛け金具を螺合させるねじ孔であることを特徴とする梱包材。
【請求項５】
請求項４に記載の梱包材であって、
前記梱包材が、前記壁掛け金具を、前記ねじ孔に螺合されるねじで保持可能なクッション材を有することを特徴とする梱包材。
【請求項６】
請求項１から５のいずれか一項に記載の梱包材を備えたことを特徴とする梱包箱。
【請求項７】
前記表示装置がテレビジョン装置であり、請求項１から５のいずれか一項に記載の梱包材を前記テレビジョン装置の正面に添えて梱包箱内に収容されたことを特徴とするテレビジョン装置。
【発明の詳細な説明】
【技術分野】
【０００１】
本発明は、梱包材、梱包箱、テレビジョン装置に関し、詳細には、表示装置の正面に添えられて梱包箱内に収容される梱包材、梱包箱、テレビジョン装置に関する。
【背景技術】
【０００２】
近年、薄型のテレビジョン装置などの表示装置は、画面の大型化を図る一方で、軽量化が図られており、壁に掛けて設置しやすくなっている。
表示装置の設置位置を決める場合、表示装置自体を壁にあてがって位置決めするのは実用的ではない。このため、例えば、特許文献１には、表示装置自体を壁にあてがわずに、表示装置の位置決めが可能な指標型紙が開示されている。
【先行技術文献】
【特許文献】
【０００３】
【特許文献１】特開２０１２−２３４０５０号公報
【発明の概要】
【発明が解決しようとする課題】
【０００４】
しかしながら、特許文献１に記載の指標型紙には、複数の外観サイズに対応できるように、複数の外形線が示されており、また、各外観サイズにそれぞれ対応したビス位置が示されている。このため、今回位置決めしたい表示装置とは別の外観サイズを、今回位置決めしたい表示装置のサイズであると誤って選び、また、誤ったビス位置を選んだりするおそれがあるので、壁に対する表示装置の位置決めを速やかに行えないという問題がある。
【０００５】
本発明は、上述のような実情に鑑みてなされたもので、壁に対する表示装置の位置決めを速やかに行える梱包材、梱包箱、テレビジョン装置を提供することを目的とする。
【課題を解決するための手段】
【０００６】
上記課題を解決するために、本発明の第１の技術手段は、表示装置の正面に添えられて梱包箱内に収容される梱包材であって、前記表示装置の外観サイズと略同一の大きさに形成されたベース本体と、該ベース本体に形成され、前記表示装置を壁に掛けるための壁掛け金具が取り付けられる金具取付部とを有し、前記ベース本体における前記金具取付部の形成位置が、前記表示装置における前記壁掛け金具の設置位置と同じ位置であることを特徴としたものである。
【０００７】
第２の技術手段は、第１の技術手段において、前記壁掛け金具が、該壁掛け金具を前記壁に設置するために、該壁掛け金具を貫通して形成されたねじ挿入孔を有し、前記梱包材が、前記ねじ挿入孔に対応した位置で前記ベース本体を貫通して形成されたケガキ孔をさらに有することを特徴としたものである。
【０００８】
第３の技術手段は、第１または第２の技術手段において、前記金具取付部が、前記壁掛け金具を嵌合させる開口であることを特徴としたものである。
【０００９】
第４の技術手段は、第１または第２の技術手段において、前記金具取付部が、前記壁掛け金具を螺合させるねじ孔であることを特徴としたものである。
【００１０】
第５の技術手段は、第４の技術手段において、前記梱包材が、前記壁掛け金具を、前記ねじ孔に螺合されるねじで保持可能なクッション材を有することを特徴としたものである。
【００１１】
第６の技術手段は、第１から第５の技術手段を備えた梱包箱であることを特徴としたものである。
【００１２】
第７の技術手段は、前記表示装置がテレビジョン装置であり、第１から第５の技術手段を前記テレビジョン装置の正面に添えて梱包箱内に収容されたテレビジョン装置であることを特徴としたものである。
【発明の効果】
【００１３】
本発明によれば、梱包材のベース本体が、表示装置の外観サイズと略同一の大きさに形成されているため、壁に対する表示装置の位置決めを速やかに行える梱包材、梱包箱、テレビジョン装置を提供することができる。
【図面の簡単な説明】
【００１４】
【図１】本発明に係る梱包箱の一例を示す斜視図である。
【図２】梱包箱の蓋を開いた状態を説明するための図である。
【図３】（Ａ）は実施例１の梱包材の正面図、（Ｂ）は梱包箱に収容されるテレビジョン装置の正面図である。
【図４】壁掛け金具ユニットの一例を示す斜視図である。
【図５】（Ａ）は壁用金具の一例を示す斜視図、（Ｂ）は横材の正面図、（Ｃ）は縦材の斜視図である。
【図６】壁に対するテレビジョン装置の位置決めを説明するための図である。
【図７】（Ａ）は実施例２の梱包材の斜視図、（Ｂ）は（Ａ）から片面のクッション材を外した梱包材の斜視図である。
【図８】壁に対するテレビジョン装置の位置決めを説明するための図である。
【発明を実施するための形態】
【００１５】
以下、図面に基づいて本発明の梱包材、梱包箱、テレビジョン装置の実施の形態を詳細に説明する。
図１は、本発明に係る梱包箱の一例を示す斜視図であり、図２は、梱包箱の蓋を開いた状態を説明するための図である。また、図３（Ａ）は実施例１の梱包材の正面図であり、図３（Ｂ）は梱包箱に収容されるテレビジョン装置の正面図である。
【００１６】
図１に示すように、梱包箱１０は、例えばダンボールで形成され、長方形状の前壁１１を有している。後壁１２は前壁１１に対向する位置に設けられ、前壁１１と後壁１２とは、右壁１３や、右壁１３に対向する左壁１４を介して連なっている。
前壁１１の上端には、天壁１５が設けられ、前壁１１の下端には、底壁１６が設けられている。
【００１７】
また、図１に示すように、後壁１２の上端にも、天壁１５が設けられており、各天壁１５を前壁１１や後壁１２に対してそれぞれ曲げて、各天壁１５の上端同士を突き合せれば、直方体状の梱包箱１０が形成される。
一方、突き合せた各天壁１５を前壁１１や後壁１２に沿ってそれぞれ立ち上げると、図２に示すように、梱包箱１０内を上方から見ることができる。
【００１８】
梱包箱１０内には、表示装置（例えば薄型のテレビジョン装置）１が収容されている。後壁１２とテレビジョン装置１の背面との間には、例えば発泡スチロールで形成された角柱状のクッション材２６が挿入されており、テレビジョン装置１の背面が前壁１１に向けて押圧されている。一方、図２に示すように、梱包箱１０内において、テレビジョン装置１の正面には、例えばダンボールで形成されたフロントパッドベース２０が添えられている。なお、フロントパッドベース２０が本発明の梱包材に相当する。
【００１９】
（実施例１）
図３（Ａ）に示すように、フロントパッドベース２０は、正面視長方形状のベース本体２１を有する。ベース本体２１は、図３（Ｂ）に示すテレビジョン装置１の外観サイズと略同一の大きさに形成されている。
また、ベース本体２１には、金具取付部２２と、ケガキ孔２３とが設けられている。
【００２０】
金具取付部２２は、図５で説明する壁用金具４０の例えば縦材５１の周縁と略同じ面積で形成された矩形状の開口であり、ベース本体２１を貫通して形成されている。金具取付部２２はベース本体２１に例えば２個形成され、ベース本体２１の中心に対して対称位置にそれぞれ設けられている。このベース本体２１における金具取付部２２の形成位置は、テレビジョン装置１における壁用金具４０の縦材５１の設置位置と同じ位置である。
【００２１】
ケガキ孔２３は、図５で説明する縦材５１のダルマ孔４５と同じ位置に形成された丸形状の開口であり、ベース本体２１を貫通して形成されている。ケガキ孔２３はベース本体２１に例えば２個形成され、金具取付部２２の上端の外側で、ベース本体２１の中心に対して対称位置にそれぞれ設けられている。
【００２２】
図３（Ｂ）に示すように、テレビジョン装置１は、矩形状のディスプレイ部２を有する。ディスプレイ部２は、例えば、液晶層やガラス基板などを有した矩形のＬＣＤ（Liquid Crystal Display）パネルや、例えばＬＥＤを導光板の側方に並べたエッジライト型で構成されたバックライト等を備えている。ディスプレイ部２は前方を残して前キャビネット３で覆われている。
【００２３】
一方、ディスプレイ部２の背面側は、図４に示す後キャビネット４で覆われている。後キャビネット４は、テレビジョン装置１を例えば室内の壁に掛けるための、壁掛け金具が設置可能に構成されている。
本実施例の壁掛け金具は、図４で説明する壁掛け金具ユニット３０と、図５で説明する壁用金具４０とからなる。
【００２４】
壁掛け金具ユニット３０は、図４（Ａ）に示すように、いずれも断面視略Ｕ字状の保持部３１とユニット本体３２とを有し、Ｕ字状の開口部分が向かい合うように配置されている。保持部３１は、図５で説明する壁用金具４０の縦材５１と同じ方向（テレビジョン装置１の上下方向）に配置され、後キャビネット４に、ねじで固定される。
壁掛け金具ユニット３０は後キャビネット４に２個設けられ、テレビジョン装置１の中心に対して対称位置にそれぞれ設けられている。
【００２５】
テレビジョン装置１が水平向きの場合（０°設定）、図４（Ａ）に示すように、保持部３１とユニット本体３２は一体になる。
保持部３１は、ユニット本体３２の下端で軸３３を介して回動可能に支持されており、テレビジョン装置１が下向きの場合（例えば２０°設定）、図４（Ｂ）に示すように、保持部３１がユニット本体３２から離間する。なお、保持部３１の回動範囲は、ユニット本体３２から延びたジョイント３４で規制され、ジョイント３４を保持部３１に、ねじで固定すると、壁に対するテレビジョン装置１の角度を設定できる。
【００２６】
ユニット本体３２の左右側面には、水平方向に突出した凸ピン３５が形成されている。ユニット本体３２の左側面には３個の凸ピン３５が略等間隔で配置され、ユニット本体３２の右側面にも３個の凸ピン３５が略等間隔で配置されている。
一方、壁用金具４０は、図５（Ａ）に示すように、水平方向に延びた２本の横材４１と垂直方向に延びた２本の縦材５１とが交差して構成されている。
【００２７】
図５（Ｂ）に示すように、横材４１は、縦材５１にねじ固定される縦材固定部４２を有し、縦材固定部４２の上側には壁当接部４３が、縦材固定部４２の下側には壁当接部４４がそれぞれ形成されている。
壁当接部４３の右隅や左隅には、大径と小径の丸孔を連結したダルマ孔４５が壁当接部４３を貫通して設けられている。このダルマ孔４５は、壁用金具４０の設置場所を決めるために利用される。なお、ダルマ孔４５が本発明のねじ挿入孔に相当する。
【００２８】
また、壁当接部４３，４４には、丸孔４６が壁当接部４３，４４をそれぞれ貫通して設けられている。
図５（Ｃ）に示すように、縦材５１は、断面視略Ｕ字状に形成され、その有底部分に、横材４１の縦材固定部４２に接触する横材当接部５２を有している。縦材５１の左右側面には、ユニット本体３２の凸ピン３５に係合されるユニット係合溝５３が形成されている。ユニット係合溝５３は下方に向けて延びており、３箇所のユニット係合溝５３が略等間隔で配置されている。
【００２９】
図６は、壁に対するテレビジョン装置の位置決めを説明するための図である。
テレビジョン装置１の位置を決める場合、まず、フロントパッドベース２０に壁用金具４０を取り付ける。詳しくは、ベース本体２１を持ち、図６（Ａ）に示すように、金具取付部２２に壁用金具４０の縦材５１を嵌める。
次いで、壁用金具４０に取り付けたフロントパッドベース２０を壁にあてがい、図６（Ｂ）に示すように、フロントパッドベース２０の外周縁を確認しながら、壁１００に対する壁用金具４０の設置位置を決める。
【００３０】
そして、壁用金具４０の設置位置が決まった場合、図６（Ｂ）に示すように、フロントパッドベース２０の手前側から、横材４１のダルマ孔４５の位置が分かるように、ケガキ孔２３を介して壁１００に印を付ける。
その後は、フロントパッドベース２０を壁用金具４０から取り外し、壁用金具４０を壁１００にあてがう。続いて、ダルマ孔４５や丸孔４６に挿入した各ねじをしっかり締めて壁用金具４０を壁に固定する。そして、壁掛け金具ユニット３０の凸ピン３５を壁用金具４０のユニット係合溝５３に係合させて、テレビジョン装置１を壁１００に設置する。
【００３１】
このように、フロントパッドベース２０を、テレビジョン装置１の正面の保護に利用するとともに、テレビジョン装置１の位置決めに利用するので、従来のような指標型紙が不要になる。
また、ベース本体２１が、テレビジョン装置１の外観サイズと略同一の大きさに形成されているため、テレビジョン装置１自体を壁にあてがわずに済み、壁に対するテレビジョン装置１の位置決めを速やかに行うことができる。
【００３２】
さらに、ベース本体２１に、取り付けねじ用の印を付けるためのケガキ孔２３を設ければ、テレビジョン装置１の位置決めをより一層速やかに行うことができる。
【００３３】
（実施例２）
図７（Ａ）は実施例２の梱包材の斜視図、図７（Ｂ）は（Ａ）から片面のクッション材を外した梱包材の斜視図である。また、図８は、壁に対するテレビジョン装置の位置決めを説明するための図である。
フロントパッドベース２０には、例えば発泡スチロールで形成された角柱状のクッション材を設置してもよい。一例を挙げると、図７（Ａ）に示すように、ベース本体２１の手前側には、例えばベース本体２１と梱包箱１０の前壁１１とのスペースを埋めるためのクッション材２５が設置され、ベース本体２１の奥側には、テレビジョン装置１を保護するためのクッション材２４が設置されている。
【００３４】
一方のクッション材、例えばクッション材２４はベース本体２１に例えば２本形成され、ベース本体２１の中心に対して対称位置にそれぞれ設けられている。
また、図７（Ｂ）に示すように、ベース本体２１には、ねじ孔２４ａと、実施例１と同様のケガキ孔２３とが設けられている。
ねじ孔２４ａは、壁掛け金具ユニット３０を固定するために形成された丸形の開口であり、ベース本体２１を貫通して形成されている。ねじ孔２４ａの形成位置は、後キャビネット４に設けた、壁掛け金具ユニット３０を固定するための孔と同じ位置であり、かつ、同じ大きさに形成されている。このため、ねじ孔２４ａが本発明の金具取付部に相当する。
【００３５】
また、例えばこのクッション材２４にも、ベース本体２１に形成した計４個のねじ孔２４ａに対応する、ねじ孔が設けられている。このクッション材２４と、ベース本体２１の手前側に設けられるクッション材２５とは、ねじで保持してもよい。
なお、実施例２では、ベース本体２１の片面に、角柱状の２本のクッション材２４を設けた例を挙げて説明したが、角柱状のクッション材２４に替えて、板状の１個のクッション材を設けてもよい。
【００３６】
図８は、壁に対するテレビジョン装置の位置決めを説明するための図である。
実施例２においてテレビジョン装置１の位置を決める場合、まず、フロントパッドベース２０に壁用金具４０を取り付ける。詳しくは、ベース本体２１からクッション材２５を外して、ねじ孔２４ａを露出させる。次いで、このねじ孔２４ａに壁掛け金具ユニット３０をあてがい、図８（Ａ）に示すように、ベース本体２１に、壁掛け金具ユニット３０を例えば樹脂ビスで仮固定する。
【００３７】
続いて、図８（Ｂ）に示すように、壁掛け金具ユニット３０に壁用金具４０を取り付けて、ベース本体２１を持つ。
次いで、図８（Ｃ）に示すように、壁掛け金具ユニット３０および壁用金具４０に取り付けたフロントパッドベース２０を壁にあてがい、フロントパッドベース２０の外周縁を確認しながら、壁１００に対する壁用金具４０の設置位置を決める。
【００３８】
そして、壁用金具４０の設置位置が決まった場合、フロントパッドベース２０の手前側から、ケガキ孔２３を介して壁１００に印を付ける。
その後は、仮固定した樹脂ビスで外して、フロントパッドベース２０を壁掛け金具ユニット３０から取り外す。続いて、壁用金具４０を壁１００にあてがって、壁用金具４０を壁１００に固定する。そして、壁掛け金具ユニット３０を壁用金具４０に係合させて、テレビジョン装置１を壁１００に設置する。
【００３９】
（実施例３）
実施例１，２では、ベース本体にケガキ孔を設けた例を挙げて説明した。しかし、本発明はこの例に限定されない。例えば、ケガキ孔を有しないベース本体であってもよい。
詳しくは、実施例２の構造において、壁１００に対する壁用金具４０の設置位置を確認した後に、壁用金具４０から、フロントパッドベース２０および壁掛け金具ユニット３０を取り外せば、壁用金具４０だけを持って壁１００に印を付けることができる。
【００４０】
また、実施例１では、ベース本体２１を貫通して形成される金具取付部２２の例を挙げて説明した。しかし、壁用金具４０の縦材５１をベース本体２１に取り付け可能であればよいので、本発明の金具取付部は、ベース本体２１を貫通して形成される例に限定されない。
また、実施例１，２では、ベース本体２１が、テレビジョン装置１の外観サイズと略同一の大きさに形成されるとともに、金具取付部２２やケガキ孔２３を有した例を挙げて説明した。しかし、さらにベース本体２１に、実際のテレビジョン装置１の画像を実物大で印刷してもよい。これにより、フロントパッドベース２０の用途（テレビジョン装置１の位置決めにも利用可能）を容易に理解させ、また、壁への設置時のイメージもより一層容易になる。
【符号の説明】
【００４１】
１…テレビジョン装置、２…ディスプレイ部、３…前キャビネット、４…後キャビネット、１０…梱包箱、１１…前壁、１２…後壁、１３…右壁、１４…左壁、１５…天壁、１６…底壁、２０…フロントパッドベース、２１…ベース本体、２２…金具取付部、２３…ケガキ孔、２４，２５，２６…クッション材、２４ａ…ねじ孔、３０…壁掛け金具ユニット、３１…保持部、３２…ユニット本体、３３…軸、３４…ジョイント、３５…凸ピン、４０…壁用金具、４１…横材、４２…縦材固定部、４３，４４…壁当接部、４５…ダルマ孔、４６…丸孔、５１…縦材、５２…横材当接部、５３…ユニット係合溝、１００…壁。
【図１】
2019131217.tif 000003
【図２】
2019131217.tif 000004
【図３】
2019131217.tif 000005
【図４】
2019131217.tif 000006
【図５】
2019131217.tif 000007
【図６】
2019131217.tif 000008
【図７】
2019131217.tif 000009
【図８】
2019131217.tif 000010